(57)【要約】【課題】従来、無農薬による野菜、葉菜等の作物が重宝されている。また人々の健康、疾病の回復、我国の農業の発展と、地球環境改善等を念頭においた場合、無農薬栽培は不可欠である。これにより、ハウス栽培においても、防虫ネットを利用した栽培方法が主流になりつつある。しかし、換気扇の回転及び／又は防虫ネットの取付けに関して配慮に欠けること、また外気の吸込量の確保に問題を残すこと等が考えられる。【構成】本発明の換気扇は、壁面に設けたシャッター枠体に設けた枠組み構造の枠体と、枠体の自由端に設けた換気扇枠体と、換気扇枠体に回転機構を介して回転自在に設けた換気扇取付け本体と、換気扇取付け本体の開口部に架承した換気扇羽根車と、また換気扇取付け本体に設けた、換気扇羽根車を回転するモータとで構成される壁面用の換気扇構造である。従って、換気扇の吸気用と排気用としての利用が図れ重宝する。【選択図】図２
2008076037.tif 000002
【特許請求の範囲】
【請求項１】
ハウスの壁面に設けたシャッターと、このシャッターに間隔をおいて設けた換気扇で構成したハウスの換気扇構造であって、
この換気扇は、壁面より延設した枠体の自由端に設け、前記間隔を確保し、またこの換気扇を、前記枠体の自由端に回転可能に設け、この換気扇の回転と、前記間隔を利用して、この換気扇を、吸気用の換気扇と、排気用の換気扇として利用可能な構成とし、
また前記換気扇の全体を防虫ネットで囲繞する構成としたハウスの壁面に設けられる壁面用の換気扇構造。
【請求項２】
請求項１に記載のハウスの壁面用の換気扇構造であって、
この壁面は、ハウスの妻面とし、ハウス内の空気を効率よく、かつハウスの棟方向に、吸気又は排気可能とする構成としたハウスの壁面に設けられる壁面用の換気扇構造。
【請求項３】
請求項１に記載のハウスの壁面用の換気扇構造であって、
この換気扇の取付け構造は、壁面に設けたシャッター枠体より延設した枠組み構造の枠体と、この枠体の自由端に設けた換気扇枠体と、この換気扇枠体に回転機構を介して回転自在に設けた換気扇取付け本体と、この換気扇取付け本体の開口部に架承した換気扇羽根車と、またこの換気扇取付け本体に設けた、前記換気扇羽根車が固止される出力軸を有するモータとで構成されるハウスの壁面に設けられる壁面用の換気扇構造。
【請求項４】
請求項１に記載のハウスの壁面用の換気扇構造であって、
このシャッターは、シャッター枠体と、このシャッター枠体に設けたシャッタープレート枠体と、このシャッタープレート枠体に枢支したシャッタープレートと、このシャッタープレートを連動する昇降杆と、この昇降杆を可動する横杆と、この横杆に一端を軸支した可動体と、この可動体の他端が支持されるシャッター枠体に設けたモータとで構成されるハウスの壁面に設けられる壁面用の換気扇構造。
【請求項５】
請求項１に記載のハウスの壁面用の換気扇構造であって、
この換気扇の回転機構は、枠組み構造の枠体の一部を構成する固定側横棧と、この固定側横棧に設けた固定側支持板と、この固定側支持板に設けた固定側ブラケットと、この固定側ブラケットに回転自在に設けられる回転側ブラケット及び回転側支持板と、この回転側支持板に設けた換気扇取付け本体（下側枠部）と、固定側ブラケットと回転側ブラケットとを軸支するワッシャ付の軸と、この軸に軸支するハンドルとで構成されるハウスの壁面に設けられる壁面用の換気扇構造。
【請求項６】
請求項１に記載のハウスの壁面用の換気扇構造であって、
この換気扇の防虫ネットは、防虫ネットの一方に、害虫及び／又はゴミ等の異物を排出する排出口を構成するハウスの壁面に設けられる壁面用の換気扇構造。
【請求項７】
請求項１に記載のハウスの壁面用の換気扇構造であって、
この換気扇の防虫ネットは、この防虫ネットを支持杆から取外し可能とし、ハウス内の空気の循環利用を行う換気扇の構造を構成するハウスの壁面に設けられる壁面用の換気扇構造。
【発明の詳細な説明】
【技術分野】
【０００１】
本発明は、ハウス（建屋等）の壁面（妻面）に設けられる壁面用の換気扇構造に関する。
【背景技術】
【０００２】
近時、無農薬、又は減農薬による野菜、葉菜、果物、花等の作物の栽培（無農薬栽培又は減農薬栽培）が主流になっている。その理由も当然であり、この種の無農薬栽培は、人々の健康に役立ち、しかも疾病の回復及び／又は予防に有効であること、又は我国の農業維持を考慮した場合には、必要な農業形態であること、或いは人類の永久的なテーマである地球環境維持等を念頭においた場合に必要不可欠であること等が考えられる。
【０００３】
そして、この無農薬栽培を簡易かつ確実に行える手段が、防虫ネットによるハウス栽培方法（防虫ネット付き換気扇による栽培方法）である。しかし、この防虫ネット付き換気扇によるハウス栽培は、シャッターの隙間より害虫が侵入することで、害虫防除に対しての農薬の微量使用による減農薬栽培となっている。従って、本来の無農薬栽培、又は微農
薬栽培に至っていなく、その改良が望まれている。
【０００４】
その要望とは、例えば、防虫ネット付き換気扇を利用し、無農薬栽培を達成すること、またこの種の防虫ネット付き換気扇のハウス壁面への簡単かつ確実な取付け又は取外しができること、さらに換気扇の有効活用（吸気用の換気扇と、排気用の換気扇）が図れること、そして、また換気扇の利便性の向上、また密着性の向上と、防虫効果・益虫の逃避回避を、確実かつ効率的に達成すること等である。
【０００５】
上記のような状況に鑑み、本発明者は、この無農薬栽培に最適な防虫ネット付きハウス栽培方法、また防虫ネット付きハウス栽培におけるシャッター、又はハウスのシャッターに取付ける防虫ネット、或いはハウスの防虫ネット又は防寒布付きシャッター等の各種の発明を提案している。例えば、特開２００５−１３４０１２の「防虫ネット付き農事用、建屋用シャッター」と、特開２００５−１４０４４８の「防虫ネット付き農事用、建屋用シャッター」が挙げられる。そして、これらの提案を介して無農薬栽培に適し、かつ無農薬栽培に必要とする外気の吸込み量及び／又は排気量等を確保することが可能となった。
【０００６】
そして、換気扇の有効活用を図る先行文献としては（文献１とする）、特開２００１−２０８９３の「換気扇」がある。この概要は、換気用ファンと吸気用ファンを環状の二重構造とし、この換気用ファンを送出空気流路に、吸気用ファンを送入空気流路にそれぞれ配設する構成とし、この換気用ファン及び吸気用ファンの回転で、吸排気を同時にすることを特徴とし、また換気の効率化、又は一基で吸排気が図れる換気扇の提供を意図する。
【０００７】
【特許文献１】特開２００１−２０８９３
【発明の開示】
【発明が解決しようとする課題】
【０００８】
文献（１）は、換気用ファンと吸気用ファンを環状の二重構造とする構成であり、小型のファン、例えば、家庭用や、厨房用の換気扇には適する。しかし、本発明が意図する「農事用、畜産用又は工場用の大型換気扇に採用」した場合には、騒音の問題が考えられる。そして、また、農事用、畜産用又は工場用（ハウス）としての採用では、構造面での困難性があり、その改良の望まれる処である。
【０００９】
また、文献（１）は、換気用ファンを送出空気流路に、吸気用ファンを送入空気流路にそれぞれ配設する構成であり、小型の換気扇に適する。しかし、本発明が意図する「ハウスに必要となる外気の吸込量及び／又は排気量を確保し、かつこの吸込んだ外気をハウス内の最適な箇所への送風及び／又はハウス内の空気のハウス外への排気を図り、また作物への直接送風及び過乾燥を回避し、葉面呼吸の確保を図ること、そして、温湿度管理の適正化及び／又は空気の置換を図り、作物の生育環境の確保と、収穫量の拡充を図ること等」の点においては、充分とは考えられない。
【００１０】
そして、また、前述した本出願人による先行文献において、ハウスの壁面に設置した換気扇に、防虫ネットを付設し、その吸気口（吸込み口）又は排気口（排出口）からの害虫の侵入防止等を図る構成であるが、吸気・排気用の換気扇としての機能を備えないこと、また壁面（躯体）に防虫ネット付の換気扇を設置する構成であるが、この防虫ネットの左右側面に隙間が発生することが考えられ、その改良が、一部で望まれている。また、この吸気用又は排気用の換気扇として、切り替えをお年寄り、子供等の背の低い者でも、容易にできるようにハンドルを着脱自在に設け、ハウスの換気の多様化と、効率的な換気、又は利便性を確保することを目的としている。
【課題を解決するための手段】
【００１１】
請求項１の発明は、ハウスに設置した換気扇に、吸気・排気用の換気扇としての機能を備えることで、ハウスの換気の多様化と、効率的な換気、又は利便性を確保すること、防虫及び益虫の逃避防止を図り、ハウス栽培の効率化、無農薬化等に寄与すること等を意図する。
【００１２】
また請求項１の発明は、ハウスに必要となる外気の吸込量を確保し、この吸込んだ外気のハウス内の最適な箇所への送風及び／又はハウス内の空気のハウス外への排気を図り、作物への直接送風及び過乾燥を回避し、葉面呼吸の確保を図ること、さらに温湿度管理の適正化及び／又は空気の置換を図り、作物の生育環境の確保と、収穫量の拡充を図ること等を意図する。また換気扇及び／又は防虫ネットの部品点数の減少化、コストの削減化及び／又は取付けの簡便化等を図ることを意図する。
【００１３】
さらに、この請求項１の発明は、換気扇からの吸気及び／又は排気を、この換気扇を囲繞する防虫ネットで整流し、スムーズな風の流れと、到達距離及び／又は換気の拡充を図ることを意図する。
【００１４】
請求項１は、ハウスの壁面に設けたシャッターと、このシャッターに間隔をおいて設けた換気扇で構成したハウスの換気扇構造であって、
この換気扇は、壁面より延設した枠体の自由端に設け、前記間隔を確保し、またこの換気扇を、前記枠体の自由端に回転可能に設け、この換気扇の回転と、前記間隔を利用して、この換気扇を、吸気用の換気扇と、排気用の換気扇として利用可能な構成とし、
また前記換気扇の全体を防虫ネットで囲繞する構成としたハウスの壁面に設けられる壁面用の換気扇構造である。
【００１５】
請求項２の発明は、請求項１の目的を達成すること、この目的を達成するのに最適な妻面への換気扇の設置構造を提供することを意図する。
【００１６】
請求項２は、請求項１に記載のハウスの壁面用の換気扇構造であって、
この壁面は、ハウスの妻面とし、ハウス内の空気を効率よく、かつハウスの棟方向に、吸気又は排気可能とする構成としたハウスの壁面に設けられる壁面用の換気扇構造である。
【００１７】
請求項３の発明は、請求項１の目的を達成すること、この目的を達成するのに最適な壁面用の換気扇構造を提供することを意図する。
【００１８】
請求項３は、請求項１に記載のハウスの壁面用の換気扇構造であって、
この換気扇の取付け構造は、壁面に設けたシャッター枠体より延設した枠組み構造の枠体と、この枠体の自由端に設けた換気扇枠体と、この換気扇枠体に回転機構を介して回転自在に設けた換気扇取付け本体と、この換気扇取付け本体の開口部に架承した換気扇羽根車と、またこの換気扇取付け本体に設けた、前記換気扇羽根車が固止される出力軸を有するモータとで構成されるハウスの壁面に設けられる壁面用の換気扇構造である。
【００１９】
請求項４の発明は、請求項１の目的を達成すること、この目的を達成するのに最適な壁
面用の換気扇のシャッター構造を提供することを意図する。
【００２０】
請求項４は、請求項１に記載のハウスの壁面用の換気扇構造であって、
このシャッターは、シャッター枠体と、このシャッター枠体に設けたシャッタープレート枠体と、このシャッタープレート枠体に枢支したシャッタープレートと、このシャッタープレートを連動する昇降杆と、この昇降杆を可動する横杆と、この横杆に一端を軸支した可動体と、この可動体の他端が支持されるシャッター枠体に設けたモータとで構成されるハウスの壁面に設けられる壁面用の換気扇構造である。
【００２１】
請求項５の発明は、請求項１の目的を達成すること、この目的を達成するのに最適な壁
面用の換気扇の回転機構を提供することを意図する。
【００２２】
請求項５は、請求項１に記載のハウスの壁面用の換気扇構造であって、
この換気扇の回転機構は、枠組み構造の枠体の一部を構成する固定側横棧と、この固定側横棧に設けた固定側支持板と、この固定側支持板に設けた固定側ブラケットと、この固定側ブラケットに回転自在に設けられる回転側ブラケット及び回転側支持板と、この回転側支持板に設けた換気扇取付け本体（下側枠部）と、固定側ブラケットと回転側ブラケットとを軸支するワッシャ付の軸と、この軸に軸支するハンドルとで構成されるハウスの壁面に設けられる壁面用の換気扇構造である。
【００２３】
請求項６の発明は、請求項１の目的を達成すること、この目的を達成するのに最適な壁面用の換気扇の防虫ネットの排出口を提供することを意図する。
【００２４】
請求項６は、請求項１に記載のハウスの壁面用の換気扇構造であって、
この換気扇の防虫ネットは、防虫ネットの一方に、害虫及び／又はゴミ等の異物を排出する排出口を構成するハウスの壁面に設けられる壁面用の換気扇構造である。
【００２５】
請求項７の発明は、請求項１の目的を達成すること、この目的を達成するのに最適な壁面用の換気扇の構造を提供することを意図する。
【００２６】
請求項７は、請求項１に記載のハウスの壁面用の換気扇構造であって、
この換気扇の防虫ネットは、この防虫ネットを支持杆から取外し可能とし、ハウス内の空気の循環利用を行う換気扇の構造を構成するハウスの壁面に設けられる壁面用の換気扇構造である。
【発明の効果】
【００２７】
請求項１の発明は、ハウスの壁面に設けたシャッターと、シャッターに間隔をおいて設けた換気扇で構成したハウスの換気扇構造であって、
換気扇は、壁面より延設した枠体の自由端に設け、間隔を確保し、また換気扇を、枠体の自由端に回転可能に設け、換気扇の回転と、間隔を利用して、換気扇を、吸気用の換気扇と、排気用の換気扇として利用可能な構成とし、
また換気扇の全体を防虫ネットで囲繞する構成としたハウスの壁面に設けられる壁面用
の換気扇構造である。
【００２８】
従って、請求項１は、ハウスに設置した換気扇に、吸気・排気用の換気扇としての機能を備えることで、ハウスの換気の多様化と、効率的な換気、又は利便性が確保できること、防虫及び益虫の逃避防止が図れ、ハウス栽培の効率化、無農薬化等に寄与できること等の特徴を有する。
【００２９】
また請求項１は、ハウスに必要となる外気の吸込量が確保でき、この吸込んだ外気のハウス内の最適な箇所への送風及び／又はハウス内の空気のハウス外への排気が図れ、作物への直接送風及び過乾燥が回避でき、葉面呼吸の確保が図れること、さらに温湿度管理の適正化及び／又は空気の置換が図れ、作物の生育環境の確保と、収穫量の拡充が図れること等の特徴を有する。また換気扇及び／又は防虫ネットの部品点数の減少化、コストの削減化及び／又は取付けの簡便化等が図れること等の実益を有する。
【００３０】
さらに、この請求項１は、換気扇からの吸気及び／又は排気を、この換気扇を囲繞する防虫ネットで整流し、スムーズな風の流れと、到達距離及び／又は換気の拡充とが図れる利点がある。
【００３１】
請求項２の発明は、請求項１に記載のハウスの壁面用の換気扇構造であって、
壁面は、ハウスの妻面とし、ハウス内の空気を効率よく、かつハウスの棟方向に、吸気又は排気可能とする構成としたハウスの壁面に設けられる壁面用の換気扇構造である。
【００３２】
従って、請求項２は、請求項１の目的を達成できること、この目的を達成するのに最適な妻面への換気扇の設置構造を提供できること等の特徴を有する。
【００３３】
請求項３の発明は、請求項１に記載のハウスの壁面用の換気扇構造であって、
換気扇の取付け構造は、壁面に設けたシャッター枠体より延設した枠組み構造の枠体と、枠体の自由端に設けた換気扇枠体と、換気扇枠体に回転機構を介して回転自在に設けた換気扇取付け本体と、換気扇取付け本体の開口部に架承した換気扇羽根車と、また換気扇取付け本体に設けた、換気扇羽根車が固止される出力軸を有するモータとで構成されるハウスの壁面に設けられる壁面用の換気扇構造である。
【００３４】
従って、請求項３は、請求項１の目的を達成できること、この目的を達成するのに最適な壁面用の換気扇構造を提供できること等の特徴を有する。
【００３５】
請求項４の発明は、請求項１に記載のハウスの壁面用の換気扇構造であって、
シャッターは、シャッター枠体と、シャッター枠体に設けたシャッタープレート枠体と、シャッタープレート枠体に枢支したシャッタープレートと、シャッタープレートを連動する昇降杆と、昇降杆を可動する横杆と、横杆に一端を軸支した可動体と、可動体の他端が支持されるシャッター枠体に設けたモータとで構成されるハウスの壁面に設けられる壁面用の換気扇構造である。
【００３６】
従って、請求項４は、請求項１の目的を達成できること、この目的を達成するのに最適な壁面用の換気扇のシャッター構造を提供できること等の特徴を有する。
【００３７】
請求項５の発明は、請求項１に記載のハウスの壁面用の換気扇構造であって、
この換気扇の回転機構は、枠組み構造の枠体の一部を構成する固定側横棧と、固定側横棧に設けた固定側支持板と、固定側支持板に設けた固定側ブラケットと、固定側ブラケットに回転自在に設けられる回転側ブラケット及び回転側支持板と、回転側支持板に設けた換気扇取付け本体（下側枠部）と、固定側ブラケットと回転側ブラケットとを軸支するワッシャ付の軸と、軸に軸支するハンドルとで構成されるハウスの壁面に設けられる壁面用の換気扇構造である。
【００３８】
請求項５は、請求項１の目的を達成すること、この目的を達成するのに最適な壁面用の換気扇の回転機構を提供できること等の特徴を有する。
【００３９】
請求項６の発明は、請求項１に記載のハウスの壁面用の換気扇構造であって、
換気扇の防虫ネットは、防虫ネットの一方に、害虫及び／又はゴミ等の異物を排出する排出口を構成するハウスの壁面に設けられる壁面用の換気扇構造である。
【００４０】
請求項６は、請求項１の目的を達成すること、この目的を達成するのに最適な壁面用の換気扇の防虫ネットの排出口を提供できること等の特徴を有する。
【００４１】
請求項７の発明は、請求項１に記載のハウスの壁面用の換気扇構造であって、
換気扇の防虫ネットは、防虫ネットを支持杆から取外し可能とし、ハウス内の空気の循環利用を行う換気扇の構造を構成するハウスの壁面に設けられる壁面用の換気扇構造である。
【００４２】
請求項７は、請求項１の目的を達成すること、この目的を達成するのに最適な壁面用の換気扇の構造を提供できること等の特徴を有する。
【発明を実施するための最良の形態】
【００４３】
本発明の図面の説明をすると、図１は本発明のハウスの妻面（壁面）の枠体に設置された壁面用の換気扇とハウスの全体の一例を示した正面図、図２は図１の状態をハウス内より示した背面図、図３は図１の換気扇の拡大正面図、図４は図２の換気扇の拡大背面図、図５はハウスの妻面の枠体に設置された壁面用の換気扇の拡大側面図、図６は排気用の換気扇が妻面と略面一の状態を示した要部拡大図、図７は換気扇が妻面と略直角の状態を示した要部拡大図、図８は図６の回転後の状態で、吸気用の換気扇が妻面と略面一の状態を示した要部拡大図、図９は図８に示した回転機構の要部を分解して示した斜視図、図１０
は図８に示した回転機構の要部を分解し、その関連を示した斜視図、図１１は図５に示した換気扇にハンドルを取付けた拡大側面図、図１２は防虫ネットを取外した状態を示した拡大側面図である。
【００４４】
図中１はビニールハウス、ガラスハウス等のハウスＡの躯体で、この躯体１は、例えば、縦枠体１００（柱）と横枠体１０１（梁）で組付け構成される。そして、図示の例では、ハウスＡの壁面１ｃ（妻面）形態とし、この壁面１ｃに略面一で、シャッターＢを設置する構造である。この一例では、シャッターＢは、横枠体１０１に立設した取付け材３に抱持される構造となっている。
【００４５】
換気扇装置Ｃは、シャッターＢと、シャッター枠体５より延設した枠組み構造の枠体２０に設けた換気扇Ｄとで構成されている。
【００４６】
このシャッターＢは、取付け材３に設けたシャッター枠体５と、このシャッター枠体５に設けたシャッタープレート枠体６と、このシャッタープレート枠体６に枢支した複数枚のシャッタープレート７と、このシャッタープレート７が枢支され、かつこのシャッタープレート７を連動する昇降杆８と、この昇降杆８を可動する横杆１０と、この横杆１０に一端を軸支した可動体１１と、この可動体１１の他端が支持されるシャッター枠体５（又はシャッタープレート枠体６）に設けたモータ１２の出力軸１２００とで構成されており、この例では、モータ１２が回転し、出力軸１２００に設けたリンクを介して可動体１１を可動し、横杆１０を上昇（動作）する。この横杆１０の上昇で、昇降杆８を上方に可動する。この昇降杆８の上方への可動を介してシャッタープレート７が開放される構造である。そして、モータ１２がさらに回転し、出力軸１２００に設けたリンクを介して可動体１１を可動し、横杆１０を降下（動作）する。この横杆１０の降下で、昇降杆８を下方に可動する。この昇降杆８の下方への可動を介してシャッタープレート７が閉塞される構造である。このシャッタープレート７と、昇降杆８、横杆１０等の動きは、従来と同様である。
【００４７】
換気扇Ｄは、シャッター枠体５より延設した枠組み構造の枠体２０（一例であり、筒体、柱体等の構造もあり得る）と、この枠組み構造の枠体２０にセンターに軸心を設けた上下対の回転機構２１と、この対の回転機構２１を介して枠組み構造の枠体２０に回転可能に設けた換気扇取付け本体２２、及び換気扇取付け本体２２の開口部に架承した羽根車２３、並びにこの羽根車２３を回転するモータ２４と、必要により設けられるガード２５とで構成されている。従って、羽根車２３はモータ２４の回転を介して回転する。尚、この回転機構２１は、枠組み構造の枠体２０の一部を構成する固定側横棧２０ａと、この固定側横棧２０ａに設けた固定側支持板２１００と、この固定側支持板２１００に設けた固定側ブラケット２１０１と、この固定側ブラケット２１０１に回転自在に設けられる回転側ブラケット２１０２及び回転側支持板２１０３と、この回転側支持板２１０３に設けた換気扇取付け本体２２（下側枠部）と、この固定側ブラケット２１０１と回転側ブラケット２１０２とを軸支するワッシャ付の軸２１０５とで構成されている。この回転機構２１は、上下で対とし、換気扇取付け本体２２の確実、かつ容易な回転（旋回）を図る構造である。尚、この回転機構２１は、一例であり、リンク機構での回転機構（図示せず）、また歯車機構、レール機構等の手段も可能である。図中２７はモータ支持用の支持杆である。尚、枠組み構造の枠体２０及び／又はシャッターＢと換気扇取付け本体２２の側面側には、換気扇Ｄ回転用の間隔（スペース）を確保する。尚、枠組み構造の枠体２０の周辺部をカバーし、送風の確実性と、吸込みの容易化を図ることが望ましい。
【００４８】
なお、この軸２１０５を支点として、軸２１０５を回転可能に軸支するよう、ハンドル２１０５を設ける。このハンドル２８を回転させることにより、軸２１０５を回転し、前述したように、回転側ブラケット２１０２と、換気扇取付け本体２２並びに換気扇Ｄの全体が回転し、排気用から吸気用に変更が可能となる。そして、このハンドル２７は、作業者全体が所望の高さになるように、調整することができ、ハウスの換気の多様化と、効率的な換気、又は利便性の確保に寄与できる。そして、このハンドル２８は、着脱自在に取付けているので、使用時、必要時にのみ、ハンドル２８を前記軸２１０５に装着し、使用時以外は、ハウスＡへの作業者が出入りの邪魔にならないように、収納する。なお、このハンドル２８は、軸２１０５を回転させるための手段であり、この手段を果たすものであれば、取付け手段等をハンドル２８に限定されない。
【００４９】
以上のような構造において、換気扇Ｄの排気用としての利用と、吸気用としての利用を説明する。図６、図７、図８に示した動きが、排気用から吸気用に変更する過程を示しており、換気扇取付け本体２２を、手動でハウスＡの内方に引き寄せると、回転側ブラケット２１０２と、換気扇取付け本体２２並びに換気扇Ｄの全体が、軸２１０５を支点として回転し、図７のように可動する（回転する）。その後、図８のように回転し、羽根車２３がハウスＡの内方に位置する状態で吸気用として利用される。尚、図示しないが、ストッパー機構を介して、排気用、吸気用の換気扇Ｄの位置を決定することが望ましい。
【００５０】
図中３０は、換気扇Ｄの後方側に、間隔３１をおいて張装した防虫ネットで、この防虫ネット３０は、害虫の侵入防止（防虫）、及び益虫の逃避防止と、又は風の整流を図り、遠方への送風と、騒音の解消等を図る。またこの防虫ネット３０は支持杆３２を介して取付け、取外し自在とする。また間隔３１は整流の生成と、換気扇Ｄの回転用のスペースとして利用する。
【００５１】
なお、この防虫ネット３０に、害虫等の虫、その他のゴミ等の異物が入った場合の排出口２９を形成しておくことも有益であり、作業者の清掃の手間の軽減、異物等が防虫ネット３０に張り付き、防虫ネット３０の孔が拡張したりするのを防止し、防虫ネット３０の長期使用を図る。
【００５２】
さらに、図１２に示すように、時宜において、防虫ネット３０を支持杆３２から取外し、この換気扇Ｄを、循環扇として利用することも可能であり、ハウス内への空気を循環利用することで、湿度管理の適正化、作物の生育環境の確保、収穫量の拡充が図れる。なお、その防虫ネット３０を取外す際は、前述したように、異物の侵入を防止するため、ハウスＡの壁面１ｃにおいて、ネット３３及び／又はシート３４を張装する場合もある。ネット３３又はシート３４は、単独で使用しても、複合的に使用しても良い。このネット３３及び／又はシート３４は、既存のハウスＡに対して、使用することができる。
【図面の簡単な説明】
【００５３】
【図１】図１は本発明のハウスの妻面（壁面）の枠体に設置された壁面用の換気扇とハウスの全体の一例を示した正面図
【図２】図２は図１の状態をハウス内より示した背面図
【図３】図３は図１の換気扇の拡大正面図
【図４】図４は図２の換気扇の拡大背面図
【図５】図５はハウスの妻面の枠体に設置された壁面用の換気扇の拡大側面図
【図６】図６は排気用の換気扇が妻面と略面一の状態を示した要部拡大図
【図７】図７は換気扇が妻面と略直角の状態を示した要部拡大図
【図８】図８は図６の回転後の状態で、吸気用の換気扇が妻面と略面一の状態を示した要部拡大図
【図９】図９は図８に示した回転機構の要部を分解して示した斜視図
【図１０】図１０は図８に示した回転機構の要部を分解し、その関連を示した斜視図
【図１１】図１１は図５に示した換気扇にハンドルを取付けた拡大側面図
【図１２】図１２は防虫ネットを取外した状態を示した拡大側面図
【符号の説明】
【００５４】
Ａ              ハウス
Ｂ              シャッター
Ｃ              換気扇装置
Ｄ              換気扇
１              躯体
１ｃ            壁面
１００          縦枠体
１０１          横枠体
３              取付け材
５              シャッター枠体
６              シャッタープレート枠体
７              シャッタープレート
８              昇降杆
１０            横杆
１１            可動体
１２            モータ
１２００        出力軸
２０            枠組み構造の枠体
２０ａ          固定側横棧
２１            回転機構
２１００        固定側支持板
２１０１        固定側ブラケット
２１０２        回転側ブラケット
２１０３        回転側支持板
２１０５        軸
２２            換気扇取付け本体
２３            羽根車
２４            モータ
２５            ガード
２７            支持杆
２８            ハンドル
２９            排出口
３０            防虫ネット
３１            間隔
３２            支持杆
３３            ネット
３４            シート
【図１】
2008076037.tif 000003
【図２】
2008076037.tif 000004
【図３】
2008076037.tif 000005
【図４】
2008076037.tif 000006
【図５】
2008076037.tif 000007
【図６】
2008076037.tif 000008
【図７】
2008076037.tif 000009
【図８】
2008076037.tif 000010
【図９】
2008076037.tif 000011
【図１０】
2008076037.tif 000012
【図１１】
2008076037.tif 000013
【図１２】
2008076037.tif 000014